(57)【要約】      （修正有）【課題】客用表示器を小型化することなく商品販売データ処理装置の梱包効率を高める。【解決手段】制御部が配置される本体ケースと、本体ケースの上部に配置され、制御部で表示制御されるオペレータ用表示器２０５と、本体ケースの上部に配置され、上下動及び回転動が可能で、且つ、上方に向け取外可能に配置されたポール部材４１０で支持され、オペレータ用表示器２０５より上方にその表示面を配置可能であり、制御部で表示制御される客用表示器２０７と、を備え、客用表示器２０７と、制御部とは、表示器側コネクタ４０１と制御部側コネクタ４０３とで取外し可能に接続されたケーブル部材で接続され、本体ケースには開口部が形成された接続部収納室５２０を形成し、開口部には蓋部材を配置した。【選択図】図４
2008293183.tif 000002
【特許請求の範囲】
【請求項１】
制御部が内装される本体ケースと、
前記本体ケースの上部に配置され、前記制御部に接続されて操作用画像が表示される操作面表示器と、
前記本体ケースの上部に、前記本体ケースから上方に向け取外可能に配置されたポール部材で支持され上下動及び前記上下方向に沿う軸を中心としての回転動が可能に配置され、前記制御部にケーブル部材で接続されて客用画像が表示される客用表示器と、
を備え、
前記ケーブル部材は、その中間部に、表示器側接続部材と前記表示器側接続部材に着脱自在に接続される制御部側接続部材とを備え、
前記本体ケースは、前記表示器側接続部材と制御部側接続部材とが接続された状態で内部に収納及び着脱動作が可能な大きさを備えると共に、前記着脱動作を行うための開口部が形成された接続部収納室を備えることを特徴とする商品販売データ処理装置。
【請求項２】
前記開口部には開口部を開閉可能に閉塞する蓋部材を備えることを特徴とする請求項１記載の商品販売データ処理装置。
【請求項３】
前記本体ケースには、前記制御部に周辺機器を接続するための端子が配置されると共に本体ケースに外側面から内側に向け凹設された接続端子収納室が形成され、
前記接続部収納室は、前記接続端子収納室に隣接して配置され、
前記開口部は前記接続部収納室と前記接続端子収納室との間に開設され、
前記接続端子収納室には前記本体ケースの外側形状に沿った形状をなし、本体ケースに着脱可能なカバー部材が配置されていることを特徴とする請求項１又は２記載の商品販売データ処理装置。
【請求項４】
前記開口部は、前記ポール部材の下部であって、前記ポール部材の下方に移動したときその下端部が配置可能な位置に形成されていることを特徴とする請求項１乃至３のいずれか記載の商品販売データ処理装置。
【請求項５】
前記開口部は、手指によって前記表示器側接続部材と前記表示器側接続部材との接続及び接続解除が可能な大きさに形成されていることを特徴とする請求項１乃至４のいずれか記載の商品販売データ処理装置。
【発明の詳細な説明】
【技術分野】
【０００１】
本発明は、商品販売データ処理装置に係り、特に本体ケースの上部に配置され操作用画像が表示される操作面表示器と、本体ケースの上部に配置され客用画像が表示される客用表示器と、を備えた商品販売データ処理装置に関する。
【背景技術】
【０００２】
商品販売データ処理装置としてスーパーマーケット等で使用されるＰＯＳ端末がある。このようなＰＯＳ端末には、オペレータが表示面を向けて操作をできるように配置した操作面表示器の他、顧客に対して購買情報を表示する客用表示器を備えたものがある。図８は従来のＰＯＳ端末を示す斜視図である。ＰＯＳ端末１００は、本体ケース１０１の内部に制御部（図示していない）が配置され、この制御部にはドロワ１０２、キーボード１０４、オペレータ用表示器１０５、客用表示器１０７、カード読取装置１０９等の各種装置が接続されている。ドロワ１０２はＰＯＳ端末１００の下に配置され、ＰＯＳ端末１００により、ドロワ１０２の引出１０３の開放動作を制御することができる。
【０００３】
また、キーボード１０４、オペレータ用表示器１０５、レシートプリンタ１０６、カード読取装置１０９は、本体ケース１０１の上面に配置されている他、客用表示器１０７は、本体ケース１０１の上面後方に立設配置されている。
【０００４】
このようなＰＯＳ端末１００において、客用表示器１０７は、オペレータ用表示器１０５の上方において本体ケース１０１に回転動及び上下動可能に配置されている。また、客用表示器１０７は本体ケース１０１内の制御部とケーブルで接続されており、ＰＯＳ端末１００の組立時に制御基板にケーブルで接続された状態にされる。このため、ＰＯＳ端末１００の梱包時や輸送時においても客用表示器１０７は本体ケース１０１に取り付けられたままの状態とされる。
特許文献１には、このような客用表示器を備えたＰＯＳ端末についての記載がある。
【０００５】
【特許文献１】特開２００７−１０９０３０号公報
【発明の開示】
【発明が解決しようとする課題】
【０００６】
近年、ＰＯＳ端末１００において、オペレータ用表示器１０５及び客用表示器１０７の大型化や、オペレータ用表示器１０５の取り付け角度の傾斜角を可変としたものが提供されている。
【０００７】
また、スーパーマーケット等では、顧客は、ＰＯＳ端末１００の横側に位置することが多く、このため客用表示器１０７をオペレータ用表示器１０５の上方で回転して顧客に正対するように配置できることが要望されている。
【０００８】
しかしながら、このように、オペレータ用表示器１０５及び客用表示器１０７の大型化を図ったり、客用表示器１０７をオペレータ用表示器１０５の上方において回転可能なものとしたりすると、客用表示器１０７が本体ケース１０１から飛出した状態でオペレータ用表示器１０５の上方に配置する必要があり、本体ケース１０１からの突出量が大きくなり、その高さ寸法が大きく、梱包効率が低下するという問題がある。
【０００９】
一方客用表示器１０７の突出量を少なくするため客用表示器１０７の小型化は前記客用表示器１０７の大型化の要望に逆行することになる。
【００１０】
そこで本発明は、客用表示器を小型化することなく梱包効率を高めることができる商品販売データ処理装置を提供することを目的とする。
【課題を解決するための手段】
【００１１】
本発明の商品販売データ処理装置は、制御部が内装される本体ケースと、前記本体ケースの上部に配置され、前記制御部に接続されて操作用画像が表示される操作面表示器と、前記本体ケースの上部に、前記本体ケースから上方に向け取外可能に配置されたポール部材で支持され上下動及び前記上下方向に沿う軸を中心としての回転動が可能に配置され、前記制御部にケーブル部材で接続されて客用画像が表示される客用表示器と、を備え、前記ケーブル部材は、その中間部に、表示器側接続部材と前記表示器側接続部材に着脱自在に接続される制御部側接続部材とを備え、前記本体ケースは、前記表示器側接続部材と制御部側接続部材とが接続された状態で内部に収納及び着脱動作が可能な大きさを備えると共に、前記着脱動作を行うための開口部が形成された接続部収納室を備えることを特徴とする商品販売データ処理装置である。
【発明の効果】
【００１２】
本発明によれば、客用表示器と制御部とを接続するケーブル部材は、表示器側接続部材と制御部側接続部材との間で接続を外せるので、接続を外した状態で客用表示部をポール部材と共に本体ケースから取外すことができ、商品販売データ処理装置の高さ寸法を小さくした状態として高効率で梱包することができる。そして、商品販売データ処理装置を設置するときには客用表示器が配置されたポール部材を本体ケースに取り付け、表示部側ケーブルの表示部側接続部材と制御部側ケーブルの制御部側接続部材とを開口部からの操作により本体ケース内のケーブル接続部収納室内で容易に接続し、接続状態で配置することができる。
【発明を実施するための最良の形態】
【００１３】
以下本発明に係る商品販売データ処理装置の実施の形態例を図１乃至図７に基づいて説明する。本例において商品販売データ処理装置は、スーパーマーケット等に配置されるＰＯＳシステムのＰＯＳ端末である。
【００１４】
図１は実施の形態例に係るＰＯＳ端末を示す斜視図、図２は同ＰＯＳ端末を示す側面図、図３は同ＰＯＳ端末のハードウェア構成を示すブロック図である。
【００１５】
ＰＯＳ端末２００は、本体ケース５００の内部に制御部３００が配置されている。また、ＰＯＳ端末２００にはドロワ２０２、キーボード２０４、オペレータ用表示器２０５、客用表示器２０７、カードリーダライタ２０８の等の各種装置が配置されている。ドロワ２０２はＰＯＳ端末２００の下に配置され、ＰＯＳ端末２００により、ドロワ２０２の引出２０３の開放動作を制御することができる。
【００１６】
また、キーボード２０４、オペレータ用表示器２０５、レシートプリンタ２０６は、本体ケース５００の上面に配置されている。
【００１７】
更に、客用表示器２０７は、本体ケース５００の上面に立設された筒状の保持部５１０に配置された略円筒形のポール部材４１０の上部に配置されている。なお、図１中、本体ケース５００の右側面近傍に設けられている溝は、カードリーダライタ２０８によるカード情報の読取り等をするためにカードをスキャンするためのカード読取溝２０９である。
【００１８】
制御部３００は、各種演算処理を実行し、オペレータ用表示器２０５及び客用表示器２０７の表示制御を行う他各部を制御する。制御部３００にはＣＰＵ３０１が配置され、ＣＰＵ３０１には、固定データを固定的に記憶保存するＲＯＭ３０２と、可変データを書き換え自在に記憶してワークエリアとして使用されるＲＡＭ３０３と、ＨＤＤ３０４と、通信インターフェース３０６とがバスライン３０５を介して接続されている。ＨＤＤ３０４は、各種のコンピュータプログラムをインストールしている。これらのコンピュータプログラムは、ＰＯＳ端末２００の起動時、その全部又は一部がＲＡＭ３０３にコピーされる。ＣＰＵ３０１は、ＲＡＭ３０３にコピーされたコンピュータプログラムに従った処理を実行する。
【００１９】
前述したドロワ２０２、キーボード２０４、オペレータ用表示器２０５、レシートプリンタ２０６、客用表示器２０７、カードリーダライタ２０８は、いずれも各種の入出力回路３０７〜３１２とバスライン３０５とを介してＣＰＵ３０１に接続され、ＣＰＵ３０１によって動作制御される。
【００２０】
ここで、客用表示器２０７は、入出力回路３０９を介してバスライン３０５に接続されており、客用表示器２０７は、その途中での接続切離が自在とされたケーブル部材４００で入出力回路３０９に接続されている。即ちケーブル部材４００は、その端部に表示器側接続部材である表示器側コネクタ４０１を備えた表示器側ケーブル４０２と、その端部に表示器側コネクタ４０１に着脱自在に接続される制御部側接続部材としての制御部側コネクタ４０３を備えた制御部側ケーブル４０４とから構成されている。
【００２１】
従って、客用表示器２０７と入出力回路３０９とは、前記表示器側コネクタ４０１と制御部側コネクタ４０３とを接続切離することにより、電気的に接続切離できる。
【００２２】
次にＰＯＳ端末２００の客用表示器２０７の接続状態について説明する。図４は実施の形態例に係るＰＯＳ端末を切断して示す斜視図、図５は同ＰＯＳ端末の図２中Ａ方向からの斜視図、図６は同ＰＯＳ端末の図２中Ｂ方向からの斜視図、図７は同ＰＯＳ端末に蓋部材を取り付けた状態で図２中Ｂ方向からの斜視図である。
【００２３】
ＰＯＳ端末２００の本体ケース５００には、図４に示すように、基端部５１１が本体ケース５００に一体として形成され、前記ポール部材４１０を支持する保持部５１０が形成されている。この保持部５１０は、その基端部５１１を本体ケース５００の上面に一体に形成され、上部に前記ポール部材４１０が挿入される開口部５１２を備え、その内部にポール部材４１０の外周面に摺接する円筒形部材５１３が形成されている。円筒形部材５１３には、前記ポール部材４１０の位置保持用の爪部材（図示していない）が形成されている。ポール部材４１０は保持部５１０内において前記爪部材で保持された状態で、客用表示器２０７を本体ケース５００上において円筒形部材５１３に沿って上下方向（図中矢印ａ）に移動可能で任意の個所に保持することができる。また、ポール部材４１０は円筒形部材５１３内で回転させる（図中矢印ｂ）ことができ、客用表示器２０７を任意の方向に向けて保持できる。
【００２４】
客用表示器２０７は、ポール部材４１０を保持部５１０に挿入した状態で制御部３００とケーブル部材４００で接続される。上述のようにケーブル部材４００は表示器側ケーブル４０２と、制御部側ケーブル４０４とから構成され、表示器側ケーブル４０２の先端には、表示器側コネクタ４０１が配置され、制御部側ケーブル４０４の先端には制御部側コネクタ４０３が配置されている。表示器側コネクタ４０１と制御部側コネクタ４０３とはワンタッチ接続のものを使用することができる他、ねじ止めにより接続するものを使用してもよい。
【００２５】
客用表示器２０７からは表示器側ケーブル４０２が前記ポール部材４１０の内部に延設され、表示器側ケーブル４０２に配置された表示器側コネクタ４０１がポール部材４１０の他端から外方に飛び出た状態にされる。一方、本体ケース５００内に配置された制御部３００の入出力回路３０９には制御部側ケーブル４０４が接続され、制御部側ケーブル４０４の先端に配置された制御部側コネクタ４０３が接続部収納室５２０に配置される。
【００２６】
接続部収納室５２０は、図４及び図５に示すように、本体ケース５００内部であって前記保持部５１０が形成された個所の直下部に形成されている。接続部収納室５２０は、ポール部材４１０を保持部５１０に嵌め込んだ状態で、前記表示器側コネクタ４０１を前記表示器側ケーブル４０２と接合できる大きさとして形成され、制御部側コネクタ４０３と制御部側ケーブル４０４との接合時においてその内部に作業者が手指を差し込んで前記表示器側コネクタ４０１と制御部側コネクタ４０３の着脱動作を行える広さを備える。なお、接続部収納室５２０にはポール部材４１０の高さ調整時にその下端部が挿入できるものとすることができる。
【００２７】
また、接続部収納室５２０には、下部に作業者が手指を差し込んで、表示器側コネクタ４０１と制御部側コネクタ４０３の着脱動作を行うための開口部５３０が開設されている。そして、開口部５３０には、開口部５３０を取外し可能に塞ぐ蓋部材５４０が配置されている。この蓋部材５４０は開口部５３０の周縁に設けられた係止爪５３１に係合されて開口部５３０に固定される。蓋部材５４０で開口部５３０を閉塞することにより、表示器側コネクタ４０１及び制御部側コネクタ４０３への不用意な接触が防止される。
【００２８】
本例では、本体ケース５００には、図５及び図６に示すように、内蔵されている制御部３００に周辺機器を取り付けるため基板５７０に配置された接続端子５６０が配置された接続端子収納室５５０が形成されている。接続端子収納室５５０には開口部５８０が本体ケース５００の底部から後方まで臨んで形成されており、開口部５８０には、図７に示すように、カバー部材５９０が取外し可能に嵌め込まれている。このカバー部材５９０は本体ケース５００の外壁に連続した形状を備えており、カバー部材５９０を取り付けることにより、前記開口部５８０が覆われ、本体ケース５００の外観が整えられるようになっている。
【００２９】
本例では、前記接続端子収納室５５０は、前記接続部収納室５２０の直下に配置されており、前記接続部収納室５２０の開口部５３０は、接続部収納室５２０と接続端子収納室５５０との間に形成される。
【００３０】
以上のような構成を備えるＰＯＳ端末２００では、ＰＯＳ端末２００の梱包時には、本体ケース５００からポール部材４１０が取外された状態とされる。そして客用表示器２０７が設置されたポール部材４１０は、本体ケース５００とは別部材とした状態で梱包することができ、ＰＯＳ端末２００の荷姿の高さ寸法をオペレータ用表示器２０５等で定まる低い高さ寸法とすることができる。このため、ＰＯＳ端末２００の梱包効率を高めることができる。
【００３１】
そして、ＰＯＳ端末２００の設置個所において、ポール部材４１０を本体ケース５００に取り付ける。ＰＯＳ端末２００の組立においては、本体ケース５００の開口部５８０からカバー部材５９０を取外し、更に接続部収納室５２０の開口部５３０から蓋部材５４０を取外しておく。この状態で、接続部収納室５２０には制御部側コネクタ４０３が配置されている。
【００３２】
そして、ポール部材４１０から伸びた表示器側ケーブル４０２の先端に配置された表示器側コネクタ４０１を保持部５１０の開口部５１２に差し込むと共に、ポール部材４１０を差し込み、ポール部材４１０を保持部５１０の爪部材で所定位置に配置する。すると、接続部収納室５２０に表示器側コネクタ４０１が垂下された状態となり、作業者は接続部収納室５２０内に手指を差し込んで、表示器側コネクタ４０１と制御部側コネクタ４０３とを接続し、入出力回路３０９と客用表示器２０７とを電気的に接続し、客用表示器２０７を表示できるようにする。そして、開口部５３０に蓋部材５４０を嵌め込み、更に接続端子５６０に必要な外部装置を接続した後開口部５８０をカバー部材５９０で塞いで組立処理を終了する。
【００３３】
また、ＰＯＳ端末２００の設置状態からポール部材４１０を本体ケース５００から取外すときには、まずカバー部材５９０と、蓋部材５４０とを取外す。そして、開口部５３０から手指を差し込み、接続部収納室５２０内で表示器側コネクタ４０１と制御部側コネクタ４０３との接合を外し、更に必要に応じて円筒形部材５１３に配置された爪部材を操作して、ポール部材４１０を保持部５１０から取外せるようにすればよい。
【図面の簡単な説明】
【００３４】
【図１】実施の形態例に係るＰＯＳ端末を示す斜視図である。
【図２】同ＰＯＳ端末を示す側面図である。
【図３】同ＰＯＳ端末のハードウェア構成を示すブロック図である。
【図４】同ＰＯＳ端末を切断して示す斜視図である。
【図５】同ＰＯＳ端末の図２中Ａ方向からの斜視図である。
【図６】同ＰＯＳ端末の図２中Ｂ方向からの斜視図である。
【図７】同ＰＯＳ端末に蓋部材を取り付けた状態で図２中Ｂ方向からの斜視図である。
【図８】従来のＰＯＳ端末を示す斜視図である。
【符号の説明】
【００３５】
２００  ＰＯＳ端末（商品販売データ処理装置）、２０５  オペレータ用表示器（操作面表示器）、２０７  客用表示器、３００  制御部（表示制御部）、４００  ケーブル部材、４０１  表示器側コネクタ（表示器側接続部材）、４０２  表示器側ケーブル、４０３  制御部側コネクタ（制御部側接続部材）、４０４  制御部側ケーブル、４１０  ポール部材、５００  本体ケース、５２０  接続部収納室、５３０  開口部、５４０  蓋部材、５５０  接続端子収納室、５６０  接続端子、５８０  開口部、５９０  カバー部材
【図１】
2008293183.tif 000003
【図２】
2008293183.tif 000004
【図３】
2008293183.tif 000005
【図４】
2008293183.tif 000006
【図５】
2008293183.tif 000007
【図６】
2008293183.tif 000008
【図７】
2008293183.tif 000009
【図８】
2008293183.tif 000010